(57)【特許請求の範囲】
【請求項１】
包装媒体が円筒状に巻かれた細長い包装媒体巻回体を収納し、一面に開口部を有する包装媒体収納容器であって；
前記開口部に対向する底板と；
前記底板の一辺に立設された前板と；
前記底板の一辺に対向する前記底板の他の一辺に立設された後板と；
前記後板に回動可能に連接され、前記開口部を塞ぐように構成された蓋板とを備え；
前記底板の外周線の内側の領域、前記前板の外周線の内側の領域であって前記底板の一辺に平行に延在する前記前板の中心線に対して前記底板側の領域、および前記後板の外周線の内側の領域であって前記底板の一辺に平行に延在する前記後板の中心線に対して前記底板側の領域の少なくともいずれかひとつの領域にフラップが形成され；
前記フラップは、前記フラップを内側に向かって押すことにより切れ目が生じる切込線と、前記フラップを内側に押すことにより切れ目は生じない折曲線であって長手方向に配置された折曲線とに囲まれて構成され；
前記フラップは、前記折曲線に沿って前記少なくともいずれかひとつの領域の内側に曲がるよう構成され；
前記フラップは、切れ目が生じた部分が前記収納された包装媒体巻回体に接触して前記収納された包装媒体巻回体を拘束するように構成された；
包装媒体収納容器。
【請求項２】
包装媒体が円筒状に巻かれた細長い包装媒体巻回体を収納し、一面に開口部を有する包装媒体収納容器であって；
前記開口部に対向する底板と；
前記底板の一辺に立設された前板と；
前記底板の一辺に対向する前記底板の他の一辺に立設された後板と；
前記後板に回動可能に連接され、前記開口部を塞ぐように構成された蓋板とを備え；
前記底板の外周線の内側の領域、前記前板の外周線の内側の領域であって前記底板の一辺に平行に延在する前記前板の中心線に対して前記底板側の領域、および前記後板の外周線の内側の領域であって前記底板の一辺に平行に延在する前記後板の中心線に対して前記底板側の領域の少なくともいずれかひとつの領域に第１の辺と該第１の辺以外の第２の辺を有する山形のフラップが形成され；
前記フラップは、前記フラップを内側に向かって押すことにより切れ目が生じる切込線と、前記フラップを内側に押すことにより切れ目は生じない折曲線であって長手方向と交叉する方向に配置された折曲線とに囲まれて構成され；
前記フラップは、前記折曲線に沿って前記少なくともいずれかひとつの領域の内側に曲がるよう構成され；
前記折曲線は、前記第１の辺を構成し、前記切込線は、前記第２の辺を構成し；
前記第２の辺が前記収納された包装媒体巻回体を拘束するように構成された；
包装媒体収納容器。
【請求項３】
前記フラップが二つ形成され、前記二つのフラップが形成された前記底板、および前記前板、および前記後板の幅方向の中心線を通る面に対して面対称に配置された；
請求項１または請求項２に記載の包装媒体収納容器。
【請求項４】
請求項１乃至請求項３のいずれか１項に記載の包装媒体収納容器と；
前記包装媒体が円筒状に巻かれた前記包装媒体巻回体とを備える；
包装媒体供給具。
【発明の詳細な説明】
【技術分野】
【０００１】
本発明は、包装媒体が円筒状に巻かれた包装媒体巻回体を収納する包装媒体収納容器に関し、特に、包装媒体収納容器から包装媒体を引き出したときに、包装媒体巻回体の包装媒体収納容器内でのがたつきを抑制できる包装媒体収納容器に関する。
【背景技術】
【０００２】
図７の断面図に示すように、従来の包装媒体供給具１０１は、包装媒体巻回体１０２（以下、適宜、巻回体１０２）と、巻回体１０２を収納する包装媒体収納容器１０３（以下、適宜、収納容器１０３）とを含んで構成される。巻回体１０２は、食品包装用等に使用される包装媒体１１２を円筒状の巻芯１１０に巻きつけて巻回体１０２としたものである。巻回体１０２は、細長い直方体形状である紙製の収納容器１０３の中に収納される。
【０００３】
収納容器１０３は、一面全体に渡って開口している開口部１３０を、図中、上部に有する容器本体１１５と、開口部１３０を覆って蓋をするように形成され、一端が容器本体１１５に回動可能に連接された蓋板１２２とを含んで構成されている。
【０００４】
容器本体１１５は、底板１０４と、前板１０５と、後板１０６と、側面板１７１、１７２とを有する。収納容器１０３は、蓋板１２２に立設された蓋前板１２３であって、蓋板１２２が開口している開口部１３０を塞いだときに、前板１０５に重なる蓋前板１２３を備える。前板１０５の底板１０４とは反対側であって連接辺１３８に振動抑え板１０８が連接されている。振動抑え板１０８は、巻回体１０２を立体に形成された収納容器１０３に収納する前に、容器本体１１５の内側に折り曲げられる。振動抑え板１０８の幅Ｗ２は、前板１０５の幅Ｗ１より長く、このため、振動抑え板１０８は、前板１０５に対して角度θを持って配置される。巻回体１０２は、後板１０６と振動抑え板１０８に挟まれて収納容器１０３に収納されている。このため、巻回体１０２の収納容器１０３内での振動、すなわちがたつきが、振動抑え板１０８によって抑制される（例えば、特許文献１、図４参照）。なお、図は、蓋板１２２を閉めた状態を示す。
【先行技術文献】
【特許文献】
【０００５】
【特許文献１】実開平３−１５３３３号公報
【発明の概要】
【発明が解決しようとする課題】
【０００６】
しかし、振動抑え板１０８は前板１０５に対して角度θを持って収納容器１０３内に配置されているので、収納容器１０３の製造に際し振動抑え板１０８が邪魔になり、巻回体１０２を、例えば一方の側面板１７１を開状態にし、他方の閉状態の側面板１７２に垂直な方向（長手方向Ｘ（図１（Ａ）））から立体に形成された容器本体１１５内に挿入することはできず、蓋板１２２を開けて開口している開口部１３０から容器本体１１５に収納していた。このため、巻回体１０２の収納容器１０３内への収納に手間がかかっていた。
【０００７】
そこで、本発明は、包装媒体収納容器の製造に際し、包装媒体巻回体を包装媒体収納容器の長手方向から包装媒体収納容器に挿入でき、かつ包装媒体巻回体の包装媒体収納容器内でのがたつきを抑制することができる包装媒体収納容器を提供することを目的とする。
【課題を解決するための手段】
【０００８】
上記目的を達成するために、本発明の第１の態様に係る包装媒体収納容器３は、例えば図１、図２、図３において、包装媒体１２が円筒状に巻かれた細長い包装媒体巻回体２を収納し、一面に開口部３０を有する包装媒体収納容器３であって；開口部３０に対向する底板４と；底板４の一辺３１に立設された前板５と；底板４の一辺３１に対向する底板４の他の一辺３２に立設された後板６と；後板６に回動可能に連接され、開口部３０を塞ぐように構成された蓋板２２とを備え；底板４と、前板５と、および後板６の少なくともいずれかひとつの外周線８１、８２、８３の内側の領域にフラップ４Ａ１、５Ａ１、６Ａ１が形成され；フラップ４Ａ１、５Ａ１、６Ａ１は、フラップ４Ａ１、５Ａ１、６Ａ１を内側に向かって押すことにより切れ目が生じる切込線４Ｂ１、５Ｂ１、６Ｂ１と、フラップ４Ａ１、５Ａ１、６Ａ１を内側に押すことにより切れ目は生じない折曲線４Ｃ１、５Ｃ１、６Ｃ１であって長手方向Ｘに配置された折曲線４Ｃ１、５Ｃ１、６Ｃ１とに囲まれて構成され；フラップ４Ａ１、５Ａ１、６Ａ１は、折曲線４Ｃ１、５Ｃ１、６Ｃ１に沿って内側に曲がるよう構成され；フラップ４Ａ１、５Ａ１、６Ａ１は、切れ目が生じた部分が収納された包装媒体巻回体２を拘束するように構成される。
【０００９】
このように構成すると、折り曲げたフラップは、切れ目が生じた部分が収納された包装媒体巻回体を拘束するように構成されるので、包装媒体巻回体の包装媒体収納容器内でのがたつきを抑制することができる。また、フラップは包装媒体を使用する直前に折り曲げることができるので、包装媒体収納容器の製造に際し、包装媒体巻回体を包装媒体収納容器の長手方向から包装媒体収納容器に挿入しても干渉が生じることなく包装媒体巻回体を包装媒体収納容器内に収納できる。
【００１０】
本発明の第２の態様に係る包装媒体収納容器３は、例えば図１、図４に示すように、包装媒体１２が円筒状に巻かれた細長い包装媒体巻回体２を収納し、一面に開口部３０を有する包装媒体収納容器３であって；開口部３０に対向する底板４と；底板４の一辺に立設された前板５と；底板４の一辺３１に対向する底板４の他の一辺３２に立設された後板６と；連接辺３９において後板６に回動可能に連接され、開口部３０を塞ぐように構成された蓋板２２とを備え；底板４と、前板５と、および後板６の少なくともいずれかひとつの外周線８１の内側の領域に第１の辺１４Ｃ２と該第１の辺１４Ｃ２以外の第２の辺１４Ｂ２を有する山形のフラップ４Ａ２が形成され；フラップ４Ａ２は、フラップ４Ａ２を内側に向かって押すことにより切れ目が生じる切込線４Ｂ２と、フラップ４Ａ２を内側に押すことにより切れ目は生じない折曲線４Ｃ２であって長手方向Ｘと交叉する方向に配置された折曲線４Ｃ２とに囲まれて構成され；フラップ４Ａ２は折曲線４Ｃ２に沿って内側に曲がるよう構成され；折曲線４Ｃ２は、第１の辺１４Ｃ２を構成し、切込線４Ｂ２は、第２の辺１４Ｂ２を構成し；第２の辺１４Ｂ２が収納された包装媒体巻回体２を拘束するように構成される。
【００１１】
このように構成すると、第２の辺が収納された包装媒体巻回体を拘束するように構成されるので、包装媒体巻回体の包装媒体収納容器内でのがたつきを抑制することができる。また、フラップは包装媒体を最初に使用する直前に折り曲げることができるので、包装媒体収納容器の製造に際し、包装媒体巻回体を包装媒体収納容器の長手方向から包装媒体収納容器に挿入しても干渉が生じることなく包装媒体巻回体を包装媒体収納容器内に収納できる。
【００１２】
長手方向に交叉するとは、典型的には、長手方向に対し直角な方向に交叉することである。山形とは、例えば、三角形、台形、半円形、弧形（円、楕円の一部）を含む凸形をいう。
【００１３】
本発明の第３の態様に係る包装媒体収納容器３は、例えば図１、図２、図３に示すように、第１の態様または第２の態様の包装媒体収納容器において、フラップ４Ａ１、５Ａ１、６Ａ１が二つ形成され、二つのフラップ４Ａ１、５Ａ１、６Ａ１が形成された底板４、および前板５、および後板６の幅方向Ｘの中心線４１Ｗ、４２Ｗ、４３Ｗを通る面２５に対して面対称に配置される。
【００１４】
このように構成すると、フラップが二つ形成され、二つのフラップが形成された底板、および前板、および後板の幅方向の中心線を通る面に対して面対称に配置されるので、折り曲げたフラップによって包装媒体巻回体を安定して拘束することができる。
【００１５】
上記目的を達成するために、本発明の第４の態様に係る包装媒体供給具１は、例えば図１に示すように、第１の態様乃至第３の態様のいずれか１の態様に記載の包装媒体収納容器３と；包装媒体１２が円筒状に巻かれた包装媒体巻回体２とを備える。
【発明の効果】
【００１６】
本発明の包装媒体収納容器によれば、折り曲げたフラップは、切れ目が生じた部分が収納された包装媒体巻回体を拘束するように構成されるので、包装媒体巻回体の包装媒体収納容器内でのがたつきを抑制することができる。また、フラップは包装媒体を使用する直前に折り曲げることができるので、包装媒体収納容器の製造に際し、包装媒体巻回体を包装媒体収納容器の長手方向から包装媒体収納容器に挿入しても干渉が生じることなく包装媒体巻回体を包装媒体収納容器内に収納できる。
【図面の簡単な説明】
【００１７】
【図１】（Ａ）は、本発明の第１の実施の形態に係る、前板の部分にフラップを有する包装媒体収納容器を備える包装媒体供給具を正面上方から見た斜視図である。（Ｂ）は、包装媒体供給具の長手方向の中央部における長手方向に直角な方向の断面図である。
【図２】（Ａ）は、本発明の他の実施の形態に係る、底板の部分にフラップを有する包装媒体収納容器を備える包装媒体供給具を背面下方から見た斜視図である。（Ｂ）は、包装媒体供給具の長手方向の中央部における長手方向に直角な方向の断面図である。
【図３】（Ａ）は、本発明のさらに他の実施の形態に係る、後板の部分にフラップを有する包装媒体収納容器を備える包装媒体供給具を背面下方から見た斜視図である。（Ｂ）は、包装媒体供給具の長手方向の中央部における長手方向に直角な方向の断面図である。
【図４】（Ａ）は、本発明の第２の実施の形態に係る、底板の部分に三角形のフラップを有する包装媒体収納容器を備える包装媒体供給具を背面下方から見た斜視図である。（Ｂ）は、包装媒体供給具の長手方向の中央部における長手方向に直角な方向の断面図である。
【図５】（Ａ）は、本発明の他の実施の形態に係る、底板の部分に台形のフラップを有する包装媒体収納容器を備える包装媒体供給具を背面下方から見た斜視図である。（Ｂ）は、包装媒体供給具の長手方向の中央部における長手方向に直角な方向の断面図である。
【図６】（Ａ）は、本発明のさらに他の実施の形態に係る、底板の部分に半円形のフラップを有する包装媒体収納容器を備える包装媒体供給具を背面下方から見た斜視図である。（Ｂ）は、包装媒体供給具の長手方向の中央部における長手方向に直角な方向の断面図である。
【図７】従来の包装媒体供給具の長手方向の中央部におけるに長手方向に直角な方向の断面図である。
【発明を実施するための形態】
【００１８】
以下、本発明の実施の形態について、図面を参照して説明する。なお、各図において互いに同一あるいは相当する部材には同一の符号を付し、重複した説明は省略する。
【００１９】
図１（Ａ）、（Ｂ）を参照して、本発明の第１の実施の形態の、包装媒体収納容器３（以下、適宜、収納容器３）を備える包装媒体供給具１（以下、適宜、供給具１）の構成を説明する。図１（Ａ）は、供給具１の斜視図である。図１（Ｂ）は、図１（Ａ）の供給具１の断面図である。
【００２０】
供給具１は、包装媒体巻回体２（以下、適宜、巻回体２）と、巻回体２を収納する収納容器３とを含んで構成される。巻回体２は、食品包装用等に使用される包装媒体１２を円筒状の巻芯１０に巻きつけて巻回体２としたものである。巻回体２は、収納容器３の中に収納される。収納容器３は、例えば、厚紙またはボール紙などの紙素材により形成される。
【００２１】
収納容器３は、容器本体１５を備える。容器本体１５は略直方体形状をなす。容器本体１５は、紙素材を折り曲げて形成される。容器本体１５は、包装媒体１２が円筒状に巻かれた巻回体２を収容する。容器本体１５は、略長方形である、図１（Ａ）中、上側の一面が開口され、開口部３０が形成されている。すなわち、収納容器３は、開口部３０を有する。当該開口部３０から巻回体２を出し入れすることができる。巻芯１０に巻かれた包装媒体１２は、ポリ塩化ビニリデンを原材料とする透明フィルムであるが、ポリ塩化ビニル、ポリエチレン、ポリメチルペンテン、もしくはこれらを組み合わせた多層フィルムであってもよい。また、包装媒体１２は、ロール紙、キッチンペーパ、アルミホイル、加熱調理用紙シート等であってもよい。
【００２２】
収納容器３は、開口部３０に対向する底板４と、底板４の一辺３１（長辺）に底板４に対し直角に立設された前板５と、一辺３１に対向する底板４の他の一辺３２（長辺）に底板４に対し直角に立設された後板６とを備える。底板４、前板５、後板６は、容器本体１５を構成する。底板４は、開口部３０に対向するよう配置されている。底板４、前板５、後板６は、略長方形である。底板４は長辺である一辺３１および他の一辺３２に加えて、一辺３１および他の一辺３２に直角な短辺６１、６２を有する。底板４は底板４の外周を形成する外周線８１を有し、一辺３１、３２および短辺６１、６２は、外周線８１を構成する。収納容器３は、側面板７１、７２を備える。側面板７１、７２は、それぞれ短辺６１、６２に立設されている。側面板７１、７２は略正方形である。供給具１の長手方向Ｘは、底板４、前板５、後板６の長手方向Ｘでもある。
【００２３】
前板５は、前板５の長辺である一辺３１と連接辺３８に直角な短辺６３、６４を有する。一辺３１は、底板４の構成要素であり、前板５の構成要素でもあるものとする。前板５は、前板５の外周を形成する外周線８２を有し、一辺３１、連接辺３８、短辺６３、６４は、外周線８２を構成する。後板６は、他の一辺３２、連接辺３９に直角な短辺６５、６６を有する。他の一辺３２は、底板４の構成要素であり、後板６の構成要素でもあるものとする。後板６は、後板６の外周を形成する外周線８３を有し、他の一辺３２、連接辺３９、短辺６５、６６は、外周線８３を構成する。
【００２４】
収納容器３は、さらに、蓋板２２と、蓋前板２３とを備える。蓋板２２は、略長方形である。蓋板２２は、底板４の他の一辺３２に対向する連接辺３９を有し、連接辺３９において後板６に回動可能に連接され、開口部３０を塞ぐよう構成される。蓋前板２３は、連接辺３９に対向する蓋板２２の一辺４０に蓋板２２に対して直角に立設され、蓋板２２が開口部３０を塞いだ状態のとき、前板５に沿って前板５の外側に重なるよう配置される。
【００２５】
蓋板２２は長辺である連接辺３９と一辺４０に加えて、短辺６７、６８を有する。収納容器３は、蓋側面板７３、７４を備える。蓋側面板７３、７４は、それぞれ短辺６７、６８に立設されている。蓋側面板７３、７４は略長方形である。
【００２６】
蓋前板２３の底板４の一辺３１に対向する側（蓋板２２が閉じた状態で対向）には、包装媒体１２を切断するためのカッター２４が一辺４６に沿って設けられている。カッター２４の先端には複数の鋸刃８０が形成されている。カッター２４の一部は、蓋板２２を完全に閉じて（すなわち、蓋板２２が底板４（図１）に平行になって）、開口部３０（図１）を塞いだ場合、底板４方向に突出するように構成されている。カッター２４によって収納容器３から引き出した包装媒体１２を切断することができる。
【００２７】
前板５には、切込線５Ｂ１と折曲線５Ｃ１とが形成されている。折曲線５Ｃ１は長手方向Ｘに平行な線分である。切込線５Ｂ１は、長手方向Ｘに平行な線分と、一端が当該線分に接続された二つの４分円弧からなる。４分円弧の他端は、折曲線５Ｃ１の一端にそれぞれ接続されている。切込線５Ｂ１はミシン目とすることができる。切込線５Ｂ１には断続的に切り込みが入れられ、切込線５Ｂ１と折曲線５Ｃ１とに囲まれた部分を指で前板５の内側に押すことにより、切込線５Ｂ１の一端から一端へ連続的に切れ目が生じ、切込線５Ｂ１が形成されている部分が分離し、折曲線５Ｃ１において収納容器３の内側に折り曲がり（折曲線５Ｃ１には切れ目は生じない）、折り曲げたフラップ５Ａ１が形成される。フラップ５Ａ１は平らな面から折り曲げられて起こされる。すなわち、フラップ５Ａ１は、折り曲げ前において切込線５Ｂ１と折曲線５Ｃ１とにより平らな面に形成されている。フラップ５Ａ１の折り曲げは、巻回体２が収納容器３の内部に収納されているときに行うことができる。なお、図において、切込線は、切れ目が生じた状態で描かれている。また、図には、折り曲げられ起こされたあとのフラップ５Ａ１が描かれている。
【００２８】
切込線５Ｂ１と折曲線５Ｃ１とは前板５に二ヶ所形成されており、したがって、フラップ５Ａ１も二ヶ所に形成されている。切込線５Ｂ１と折曲線５Ｃ１とは、前板５の外周線８２の内側の領域に形成され、したがって、フラップ５Ａ１も前板５の外周線８２の内側の領域に形成されている。フラップが外周線の内側の領域にあるとは、フラップの切込線または折曲線が外周線と重なる場合を含むものとする。フラップ５Ａ１は幅方向の中心線４１Ｗ（図１（Ａ）中、一点鎖線にて表示）を通り側面板７１、７２に平行な面２５（図１（Ａ）中、一点鎖線にて表示）に対して互いに面対称に配置されている。中心線４１Ｗは、前板５の長手方向Ｘの中心を通り、長手方向Ｘに対し直角な方向に延在する。
【００２９】
折り曲げられたフラップ５Ａ１の、切込線５Ｂ１を境に切れ目が生じ切り取られた側の先端部（切れ目が生じた部分）は、収納容器３に収納された巻回体２の外周部に接触し、巻回体２の動きを拘束する。すなわち、フラップ５Ａ１は、折り曲げることにより巻回体２の包装媒体１２の外周部に接触するよう配置される。巻回体２は、フラップ５Ａ１が外周部に接触することにより、フラップ５Ａ１に押されて後板６側に移動し、使用開始直後には後板６の内側に接触している。フラップ５Ａ１は長手方向Ｘの２ヶ所に配置されているが、長手方向Ｘの中央部に１ヶ所配置されてもよく、あるいは長手方向Ｘに３ヶ所以上配置されてもよい。
【００３０】
フラップ５Ａ１は、前板５の長手方向Ｘに延在する長手方向Ｘの中心線４１Ｌ（幅方向の中心線４１Ｗに直角）（図１（Ａ）中、一点鎖線にて表示）に対して底板４側に配置されているが、開口部３０側に配置してもよく、あるいは底板４側および開口部３０側の両方に配置してもよい（フラップは、外周線の内側の領域にあればよい。）。両方に配置することにより巻回体２をより確実に拘束することができる。
【００３１】
以上、二つのフラップ５Ａ１は、面２５に対して互いに面対称に前板５に配置されるとして説明した。しかし、二つのフラップ５Ａ１´（図１（Ｂ）に一方を破線で図示）を、底板４に接して収納容器２に収納されるラップ巻回体３の中心軸線２６を通り底板４に平行な面２７と前板５との交線である線分（不図示）の中点（不図示）を通る底板４に平行な回転軸線２８であって、前板５に垂直な回転軸線２８を中心に前板５に沿って１８０度回転したときに、一方が他方に重なるよう配置してもよい。
【００３２】
第１の実施の形態の、収納容器３を備える供給具１によれば、折り曲げられた二つのフラップ５Ａ１が前板５に形成されるので、切込線５Ｂ１を境に切れ目が生じ切り取られた側の先端部（切れ目が生じた部分）は、収納容器３に収納された巻回体２の外周部に接触し、巻回体２の動きを安定して拘束することができる。また、二つのフラップ５Ａ１は包装媒体１２を使用する直前に折り曲げることができるので、収納容器３の製造に際し、巻回体２を収納容器３の長手方向Ｘから収納容器３に挿入しても干渉が生じることなく巻回体２を収納容器３内に収納でき、供給具１を簡易に製造することができる。
【００３３】
図２（Ａ）、（Ｂ）を参照して、他の実施の形態の供給具１を説明する。図２（Ａ）は、供給具１の斜視図である。図２（Ｂ）は、図２（Ａ）の供給具１の断面図である。以下、主として図１の供給具１と相違する部分を説明する。
【００３４】
図は、蓋板２２を閉めた状態を示す。二つのフラップ４Ａ１は、底板４に形成されている。二つのフラップ４Ａ１は、前板５に形成されている図１のフラップ５Ａ１と形状が同一であり、同様に形成される。フラップ４Ａ１は平らな面から折り曲げられて起こされる。底板４は底板４の外周を形成する外周線８１を有し、短辺６１、６２および一辺３１、３２が、外周線８１を構成する。二つのフラップ４Ａ１は、底板４の長手方向Ｘ（図１（Ａ））に対し直角な幅方向の中心線４２Ｗ（図２（Ａ）中、一点鎖線にて表示）を通り側面板７１、７２に平行な面２５（図２（Ａ）中、一点鎖線にて表示）に対し互いに面対称に形成されている。フラップ４Ａ１は、底板４の長手方向Ｘに延在する長手方向Ｘの中心線４２Ｌ（中心線４２Ｗに直角）（図２（Ａ）中、一点鎖線にて表示）に対して後板６側に配置されているが、前板５側に配置してもよく、あるいは後板６側および前板５側の両方に配置してもよい。
【００３５】
図３（Ａ）、（Ｂ）を参照して、さらに他の実施の形態の供給具１を説明する。図３（Ａ）は、供給具１の斜視図である。図３（Ｂ）は、図３（Ａ）の供給具１の断面図である。以下、主として図１の供給具１と相違する部分を説明する。
【００３６】
図は、蓋板２２を閉めた状態を示す。二つのフラップ６Ａ１は、後板６に形成されている。二つのフラップ６Ａ１は、前板５に形成されている図１のフラップ５Ａ１と形状が同一であり、同様に形成される。フラップ６Ａ１は平らな面から折り曲げられて起こされている。後板６の短辺６５、６６および一辺３２、連接辺３９は後板６の外周を形成する外周線８３を構成する。二つのフラップ６Ａ１は、後板６の長手方向Ｘ（図１（Ａ））に対し直角な幅方向の中心線４３Ｗ（図３（Ａ）中、一点鎖線にて表示）を通り側面板７１、７２に平行な面２５（図３（Ａ）中、一点鎖線にて表示）に対し互いに面対称に形成されている。フラップ６Ａ１は、後板６の長手方向Ｘに延在する長手方向Ｘの中心線４３Ｌ（中心線４３Ｗに直角）（図３（Ａ）中、一点鎖線にて表示）に対して底板４側に配置されているが、蓋板２２側に配置してもよく、あるいは底板４側および蓋板２２側の両方に配置してもよい。
【００３７】
図４（Ａ）、（Ｂ）を参照して、本発明の第２の実施の形態の、収納容器３を備える供給具１の構成を説明する。図４（Ａ）は、供給具１の斜視図である。図４（Ｂ）は、図４（Ａ）の供給具１の断面図である。以下、主として図１の第１の実施の形態の供給具１と相違する部分を説明する。図は、蓋板２２を閉めた状態を示し、後板６側から見て、供給具１の左側の一部のみ記載し、他を省略してある。図４の供給具１は、図１の供給具１と、フラップ４Ａ２の形状および配置のみ相違し、他は同一である。図４（Ａ）は、二つのフラップの４Ａ２の一方を示す。
【００３８】
底板４には、切込線４Ｂ２と折曲線４Ｃ２とが形成されている。折曲線４Ｃ２は、長手方向Ｘ（図１（Ａ））に対し直角な（長手方向Ｘに対し交叉し、交叉する角度が直角な）線分である。切込線４Ｂ２は、長手方向Ｘに平行な線分である部分４Ｂ２１を有し、部分４Ｂ２１の一端が折曲線４Ｃ２の一端に接続されている。切込線４Ｂ２は、部分４Ｂ２２をさらに有し、部分４Ｂ２２の一端は折曲線４Ｃ２の他端に接続され、部分４Ｂ２２の他端は部分４Ｂ２１の他端に接続され、切込線４Ｂ２と折曲線４Ｃ２とで直角三角形が形成される。直角三角形のフラップ４Ａ２は、第１の辺１４Ｃ２と第１の辺１４Ｃ２以外の第２の辺１４Ｂ２（辺１４Ｂ２１と辺１４Ｂ２２）を有する。折曲線４Ｃ２は第１の辺１４Ｃ２を構成する。切込線４Ｂ２は、第２の辺１４Ｂ２（辺１４Ｂ２１と辺１４Ｂ２２）を構成する。なお、折曲線は、長手方向Ｘに対し交叉するよう配置され、交叉する角度は直角未満であってもよい。
【００３９】
切込線４Ｂ２と折曲線４Ｃ２とに囲まれた部分を底板４の内側に指で押すことにより、折曲線４Ｃ２において収納容器３の内側に折り曲がり、折り曲げられたフラップ４Ａ２が形成される。フラップ４Ａ２は平らな面から起こされている。フラップ４Ａ２は、底板４に対して垂直となるように折り曲げるとよい。直角三角形のフラップ４Ａ２の辺１４Ｂ２２（第２の辺１４Ｂ２の一部）が収納容器３に収納された巻回体２の外周部に接触し、巻回体２の動きを安定して拘束することができる。また、フラップ４Ａ２は包装媒体１２を使用する直前に折り曲げることができるので、収納容器３の製造に際し、巻回体２を収納容器３の長手方向Ｘから収納容器３に挿入しても干渉が生じることなく巻回体２を収納容器３内に収納できるので供給具１を簡易に製造することができる。
【００４０】
図５（Ａ）、（Ｂ）を参照して、他の実施の形態の供給具１を説明する。図５（Ａ）は、供給具１の斜視図である。図５（Ｂ）は、図５（Ａ）の供給具１の断面図である。以下、主として図４の供給具１と相違する部分を説明する。図は、蓋板２２を閉めた状態を示す。フラップ４Ａ３は台形であり、図４のフラップ４Ａ２と形状が異なるが、配置など、他は同一である。
【００４１】
底板４には、切込線４Ｂ３と折曲線４Ｃ３とが形成されている。折曲線４Ｃ３は、長手方向Ｘ（図１（Ａ））に対し直角な（長手方向Ｘに対し交叉し、交叉する角度が直角な）線分である。切込線４Ｂ３は、長手方向Ｘに平行な線分からなる部分４Ｂ３１と部分４Ｂ３３とを有し、部分４Ｂ３１の一端が折曲線４Ｃ３の一端に接続され、部分４Ｂ３３の一端が折曲線４Ｃ３の他端に接続されている。切込線４Ｂ３は、部分４Ｂ３２をさらに有し、部分４Ｂ３２の一端は部分４Ｂ３１の他端に接続され、部分４Ｂ２２の他端は部分４Ｂ３３の他端に接続され、切込線４Ｂ３と折曲線４Ｃ３とで台形が形成される。台形のフラップ４Ａ３は、第１の辺１４Ｃ３と第１の辺１４Ｃ３以外の第２の辺１４Ｂ３（辺１４Ｂ３１、辺１４Ｂ３２、辺１４Ｂ３１）を有する。折曲線４Ｃ３は第１の辺１４Ｃ３を構成する。切込線４Ｂ３は、第２の辺１４Ｂ３（辺１４Ｂ３１、辺１４Ｂ３２、辺１４Ｂ３３）を構成する。
【００４２】
切込線４Ｂ３と折曲線４Ｃ３とに囲まれた部分を底板４の内側に指で押すことにより、折曲線４Ｃ３において収納容器３の内側に折り曲がり、折り曲げられたフラップ４Ａ３が形成される。フラップ４Ａ３は平らな面から折り曲げて起こされている。フラップ４Ａ３は、底板４に対して垂直となるように折り曲げるとよい。台形のフラップ４Ａ３の辺１４Ｂ３３と辺１４Ｂ３１をつなぐ辺１４Ｂ３２（部分４Ｂ３２から分離した辺）が収納容器３に収納された巻回体２の外周部に接触し、巻回体２の動きを安定して拘束することができる。
【００４３】
図６（Ａ）、（Ｂ）を参照して、さらに他の実施の形態の供給具１を説明する。図６（Ａ）は、供給具１の斜視図である。図６（Ｂ）は、図６（Ａ）の供給具１の断面図である。以下、主として図４の供給具１と相違する部分を説明する。図は、蓋板２２を閉めた状態を示す。フラップ４Ａ４は半円形であり、図４のフラップ４Ａ２と形状が異なるが、配置など、他は同一である。半円形のフラップ４Ａ４は、第１の辺１４Ｃ４と第１の辺１４Ｃ４以外の第２の辺（円弧）１４Ｂ４を有する。折曲線４Ｃ４は第１の辺１４Ｃ４を構成し、切取線４Ｂ４は第２の辺１４Ｂ４を構成する。
【００４４】
切込線４Ｂ４と折曲線４Ｃ４とは底板４に形成されている。折曲線４Ｃ４は、長手方向Ｘ（図１（Ａ））に対し直角な（長手方向Ｘに対し交叉し、交叉する角度が直角な）線分である。切込線４Ｂ４は、半円の円弧であり、円弧の一端が折曲線４Ｃ４の一端に接続され、円弧の他端が折曲線４Ｃ４の他端に接続されている。
【００４５】
切込線４Ｂ４と折曲線４Ｃ４とに囲まれた部分を底板４の内側に指で押すことにより、折曲線４Ｃ４において収納容器３の内側に折り曲がり、折り曲げられたフラップ４Ａ４が形成される。フラップ４Ａ４は平らな面から折り曲げて起こされている。フラップ４Ａ４は、底板４に対して垂直となるように折り曲げるとよい。折り曲げられた半円形のフラップ４Ａ４の第２の辺（円弧）１４Ｂ４の部分が収納容器３に収納された巻回体２の外周部に接触し、巻回体２の動きを安定して拘束することができる。
【００４６】
以上、フラップ４Ａ２、４Ａ３、４Ａ４は、底板４に設けられるとして説明したが、フラップ４Ａ２、４Ａ３、４Ａ４を、前板５、後板６に設けてもよく、この場合も、巻回体２の動きを安定して拘束することができる。フラップ４Ａ２、４Ａ３、４Ａ４の第２の辺１４Ｂ２、１４Ｂ３、１４Ｂ４は、直線状の辺に限らず、曲線状の辺を含むものであってもよい。
【符号の説明】
【００４７】
１  包装媒体供給具
２  包装媒体巻回体
３  包装媒体収納容器
４  底板
４Ａ１、４Ａ２、４Ａ３、４Ａ４  フラップ
４Ｂ１  切込線
４Ｂ２、４Ｂ３、４Ｂ４  切込線
４Ｃ１  折曲線
４Ｃ２、４Ｃ３、４Ｃ４  折曲線
４Ｂ２１、４Ｂ２２、４Ｂ３１、４Ｂ３２、４Ｂ３２  部分
５  前板
５Ａ１、５Ａ１´  フラップ
５Ｂ１  切込線
５Ｃ１  折曲線
６  後板
６Ａ１  フラップ
６Ｂ１  切込線
６Ｃ１  折曲線
１０  巻芯
１２  包装媒体
１４Ｂ２、１４Ｂ３、１４Ｂ４  第２の辺
１４Ｃ２、１４Ｃ３、１４Ｃ４  第１の辺
１４Ｂ２１、１４Ｂ２２、１４Ｂ３１、１４Ｂ３２、１４Ｂ３２  辺
１５  容器本体
２２  蓋板
２３  蓋前板
２４  カッター
２５  面
２６  中心軸線
２７  面
２８  回転軸線
３０  開口部
３１  一辺
３２  他の一辺
３８、３９  連接辺
４０  一辺
４１Ｌ、４２Ｌ、４３Ｌ、４１Ｗ、４２Ｗ、４３Ｗ  中心線
６１、６２、６３、６４、６５、６６、６７、６８  短辺
７１、７２  側面板
７３、７４  蓋側面板
８０  鋸刃
８１、８２、８３  外周線
【図１】
0005777335.tif 000002
【図２】
0005777335.tif 000003
【図３】
0005777335.tif 000004
【図４】
0005777335.tif 000005
【図５】
0005777335.tif 000006
【図６】
0005777335.tif 000007
【図７】
0005777335.tif 000008